(57)【要約】【課題】他の撮像装置アクセサリとの無線接続の状況に応じて消費電力の低減を実現させることを目的とする。【解決手段】無線通信部を介して他の撮像装置アクセサリと無線接続される通信可能状態と、通信可能状態よりも消費電力が低く、他の撮像装置アクセサリと無線接続されない第１の低消費電力状態と、通信可能状態よりも消費電力が低く、無線通信部を介して他の撮像装置アクセサリと周期的に無線接続される第２の低消費電力状態と、の間で遷移可能な撮像装置アクセサリであって、通信可能状態において他の撮像装置アクセサリとの無線接続の有無を判定する判定手段と、判定手段により他の撮像装置アクセサリと無線接続していないと判定された場合、第１の低消費電力状態に遷移し、判定手段により他の撮像装置アクセサリと無線接続していると判定された場合、第２の低消費電力状態に遷移する制御手段と、を有する。【選択図】図４
2014017616.tif 000002
【特許請求の範囲】
【請求項１】
無線通信部を介して他の撮像装置アクセサリと無線接続される通信可能状態と、
前記通信可能状態よりも消費電力が低く、他の撮像装置アクセサリと無線接続されない第１の低消費電力状態と、
前記通信可能状態よりも消費電力が低く、前記無線通信部を介して他の撮像装置アクセサリと周期的に無線接続される第２の低消費電力状態と、の間で遷移可能な撮像装置アクセサリであって、
前記通信可能状態において他の撮像装置アクセサリとの無線接続の有無を判定する判定手段と、
前記判定手段により他の撮像装置アクセサリと無線接続していないと判定された場合、前記第１の低消費電力状態に遷移し、前記判定手段により他の撮像装置アクセサリと無線接続していると判定された場合、前記第２の低消費電力状態に遷移する制御手段と、を有することを特徴とする撮像装置アクセサリ。
【請求項２】
前記第１の低消費電力状態は、撮像装置と通信するための機能を維持した状態であることを特徴とする請求項１に記載の撮像装置アクセサリ。
【請求項３】
前記第２の低消費電力状態は、他の撮像装置アクセサリと同期信号により周期的に無線接続される状態であることを特徴とする請求項１または２に記載の撮像装置アクセサリ。
【請求項４】
前記制御手段は、撮像装置から所定の通知を受信した場合、もしくは前記撮像装置または操作部から一定時間以上制御されない場合に、前記通信可能状態から前記第１の低消費電力状態または前記第２の低消費電力状態に遷移することを特徴とする請求項１ないし３の何れか１項に記載の撮像装置アクセサリ。
【請求項５】
当該撮像装置アクセサリは、発光装置であり、
前記所定の通知は、前記撮像装置からの発光禁止の通知であることを特徴とする請求項４に記載の撮像装置アクセサリ。
【請求項６】
前記無線通信部は、前記制御手段により前記通信可能状態から前記第２の低消費電力状態に遷移する場合、前記他の撮像装置アクセサリに対して前記第２の低消費電力状態に遷移させる命令を送信することを特徴とする請求項１ないし５の何れか１項に記載の撮像装置アクセサリ。
【請求項７】
前記無線通信部は、前記他の撮像装置アクセサリに送信する同期信号に前記第２の低消費電力状態に遷移させる命令を含めることを特徴とする請求項６に記載の撮像装置アクセサリ。
【請求項８】
前記制御手段は、撮像装置からの所定の通知、前記撮像装置からの任意の信号または操作部を介した指示を受信した場合に、前記第１の低消費電力状態または前記第２の低消費電力状態から前記通信可能状態に遷移することを特徴とする請求項１ないし３の何れか１項に記載の撮像装置アクセサリ。
【請求項９】
当該撮像装置アクセサリは、発光装置であり、
前記所定の通知は、前記撮像装置からの発光禁止の解除の通知であることを特徴とする請求項８に記載の撮像装置アクセサリ。
【請求項１０】
前記無線通信部は、前記制御手段により前記第２の低消費電力状態から前記通信可能状態に遷移する場合、他の撮像装置アクセサリに対して前記通信可能状態に遷移させる命令を送信することを特徴とする請求項８または９に記載の撮像装置アクセサリ。
【請求項１１】
前記無線通信部は、前記他の撮像装置アクセサリに送信する同期信号に前記通信可能状態に遷移させる命令を含めることを特徴とする請求項１０に記載の撮像装置アクセサリ。
【請求項１２】
前記無線通信部は、当該撮像装置アクセサリに内蔵または着脱可能であることを特徴とする請求項１ないし１１の何れか１項に記載の撮像装置アクセサリ。
【請求項１３】
前記無線通信部は、
クロック信号を生成する発振回路と、
前記第１の低消費電力状態および前記第２の低消費電力状態において前記発振回路で生成されるクロック信号の周波数を低く制御する周波数制御手段と、を有することを特徴とする請求項１ないし１２の何れか１項に記載の撮像装置アクセサリ。
【請求項１４】
前記通信可能状態は、他の撮像装置アクセサリから常時受信可能な状態であることを特徴とする請求項１ないし１３の何れか１項に記載の撮像装置アクセサリ。
【請求項１５】
前記通信可能状態は、他の撮像装置アクセサリとの間で同期信号により無線接続された状態であることを特徴とする請求項１に記載の撮像装置アクセサリ。
【請求項１６】
前記無線通信部は、前記第２の低消費電力状態において、同期信号を前記通信可能状態における同期信号の周期よりも長い周期に設定することを特徴とする請求項１５に記載の撮像装置アクセサリ。
【請求項１７】
無線通信部を介して他の撮像装置アクセサリと無線接続される通信可能状態と、
前記通信可能状態よりも消費電力が低く、他の撮像装置アクセサリと無線接続されない第１の低消費電力状態と、
前記通信可能状態よりも消費電力が低く、前記無線通信部を介して他の撮像装置アクセサリと周期的に無線接続される第２の低消費電力状態と、の間で遷移可能な撮像装置アクセサリの制御方法であって、
前記通信可能状態において他の撮像装置アクセサリとの無線接続の有無を判定する判定ステップと、
前記判定ステップにより他の撮像装置アクセサリと無線接続していないと判定された場合、前記第１の低消費電力状態に遷移し、前記判定ステップにより他の撮像装置アクセサリと無線接続していると判定された場合、前記第２の低消費電力状態に遷移する制御ステップと、を有することを特徴とする制御方法。
【請求項１８】
無線通信部を介して他の撮像装置アクセサリと無線接続される通信可能状態と、
前記通信可能状態よりも消費電力が低く、他の撮像装置アクセサリと無線接続されない第１の低消費電力状態と、
前記通信可能状態よりも消費電力が低く、前記無線通信部を介して他の撮像装置アクセサリと周期的に無線接続される第２の低消費電力状態と、の間で遷移可能な撮像装置アクセサリを制御するためのプログラムであって、
前記通信可能状態において他の撮像装置アクセサリとの無線接続の有無を判定する判定ステップと、
前記判定ステップにより他の撮像装置アクセサリと無線接続していないと判定された場合、前記第１の低消費電力状態に遷移し、前記判定ステップにより他の撮像装置アクセサリと無線接続していると判定された場合、前記第２の低消費電力状態に遷移する制御ステップと、をコンピュータに実行させるためのプログラム。
【発明の詳細な説明】
【技術分野】
【０００１】
本発明は、撮像装置アクセサリ、その制御方法およびプログラムに関するものである。特に、撮像装置アクセサリの消費電力制御に関するものである。
【背景技術】
【０００２】
近年、デジタルスチルカメラ（以下、カメラ）に無線通信装置が搭載され、カメラやカメラアクセサリの間で無線通信を行うことが可能となった。
その一方、無線通信装置を搭載したことに伴い、消費電力も増加している。増加の原因の一つとしては、無線通信装置の受信機能を常時受信可能状態にしていることである。消費電力を低減させる手段の一つとして、ビーコンと呼ばれる同期信号を用いて通信機器間で同期をとる、ビーコン同期が挙げられる。ビーコンを受信しない非同期期間にて、無線モジュールの受信機能を停止させることで、消費電力の低減を実現している。
【０００３】
一方、低消費電力期間では通信機能を停止させているため、応答性が常時受信可能状態よりも遅い。例えば、低消費電力期間中にカメラがレリーズしても、ストロボに対する発光命令は互いが受信可能状態に復帰するまでの時間だけ遅延する。それによってカメラとストロボの同調発光ができない可能性がある。同調とは、カメラのシャッタが全開している期間内に、カメラの撮像素子に対して必要な光量が露光できていることを意味する。そうなると、低消費電力状態の期間を同調に対応できるように設定することが望ましい。
しかしながら、無線接続しているストロボが存在しない場合は、低消費電力状態の期間は同調を考慮した期間に設定する必要がない。以上のように、ビーコン同期では、省電性と応答性がトレードオフの関係になっている。
【０００４】
例えば特許文献１では、送信装置（マスター）と受信装置（スレーブ）で構成される無線システムにおいて、閃光装置での発光が不要な期間は発振回路で生成されるクロック信号を停止させ、閃光装置の発光動作部分の消費電力を低減させる方法が開示されている。
特許文献２では、基地局から送信されるビーコンに対して、端末局がビーコンの送信周期を要求して、基地局のビーコンの送信周期を変更させた端末局の消費電力低減の方法が開示されている。
【先行技術文献】
【特許文献】
【０００５】
【特許文献１】特開２００６−３４５１６８号公報
【特許文献２】特開２００５−１３０４３６号公報
【発明の概要】
【発明が解決しようとする課題】
【０００６】
しなしながら、特許文献１では、低消費電力の対象が無線通信部分ではなく、閃光するための動作部分である。また、カメラと接続しているマスター側の低消費電力については開示されていない。
また、特許文献２では、基地局と１つの端末間の関係のみで送信周期が決定されており、どのような機器で通信システムが構成されているかが考慮されていない。
【０００７】
本発明では、撮像装置アクセサリにおいて、他の撮像装置アクセサリとの無線接続の状況に応じた消費電力の低減を実現させることを目的とする。
【課題を解決するための手段】
【０００８】
本発明は、無線通信部を介して他の撮像装置アクセサリと無線接続される通信可能状態と、前記通信可能状態よりも消費電力が低く、他の撮像装置アクセサリと無線接続されない第１の低消費電力状態と、前記通信可能状態よりも消費電力が低く、前記無線通信部を介して他の撮像装置アクセサリと周期的に無線接続される第２の低消費電力状態と、の間で遷移可能な撮像装置アクセサリであって、前記通信可能状態において他の撮像装置アクセサリとの無線接続の有無を判定する判定手段と、前記判定手段により他の撮像装置アクセサリと無線接続していないと判定された場合、前記第１の低消費電力状態に遷移し、前記判定手段により他の撮像装置アクセサリと無線接続していると判定された場合、前記第２の低消費電力状態に遷移する制御手段と、を有することを特徴とする。
【発明の効果】
【０００９】
本発明によれば、撮像装置アクセサリにおいて、他の撮像装置アクセサリとの無線接続の状況に応じた消費電力の低減が可能である。
【図面の簡単な説明】
【００１０】
【図１】ストロボ１００の構成の一例を示すブロック図である。
【図２】ストロボ１００を用いたシステム構成の一例を示す概略図である。
【図３】ストロボ３００の構成の一例を示すブロック図である。
【図４】第１の実施形態のストロボ１００の消費電力に関する状態遷移図である。
【図５】第１の低消費電力状態４０１に遷移するときの動作を示すシーケンス図である。
【図６】常時受信可能状態４００に遷移するときの動作を示すシーケンス図である。
【図７】第２の低消費電力状態４０２に遷移するときの動作を示すシーケンス図である。
【図８】常時受信可能状態４００に遷移するときの動作を示すシーケンス図である。
【図９】第２の実施形態のストロボ１００の消費電力に関する状態遷移図である。
【図１０】第２の低消費電力状態９０２に遷移するときの動作を示すシーケンス図である。
【図１１】ビーコン同期９００に遷移するときの動作を示すシーケンス図である。
【発明を実施するための形態】
【００１１】
以下、本発明に係る実施形態について添付の図面に基づいて詳細に説明する。
（第１の実施形態）
以下、第１の実施形態について説明する。第１の実施形態の無線通信装置は、撮像装置アクセサリの一例である、発光装置としてのストロボ１００が適用される場合について説明する。
【００１２】
図１は、ストロボ１００の構成の一例を示すブロック図である。
１０１はストロボ１００の操作部である。ユーザが操作部１０１を介してストロボ制御部１０５に対して動作指示を行い、ストロボ１００を制御する。
１０２はストロボ１００の発振回路である。発振回路１０２は、発振回路１０２に接続された水晶発振子１０３で生成されるクロック信号の波形を整形し、整形した信号を各回路へ出力し、同期をとる。発振回路１０２から出力されるクロック信号の周波数はストロボ制御部１０５によって制御される。
【００１３】
１０４は発光回路である。発光回路１０４はストロボ制御部１０５からの発光命令の信号を受信することで発光する。また、発光回路１０４はストロボ制御部１０５に対して充電完了を表す信号を送信する。
１０５はストロボ１００全体を制御するストロボ制御部である。
１０６は撮像装置とのインターフェースである。ストロボ１００はインターフェース１０６を介して撮像装置と通信する。
１０８はフラッシュメモリである。フラッシュメモリ１０８は各種プログラムや設定を保存する。
１０９はＲＡＭである。ＲＡＭ１０９はデータの一時的な記憶や、処理の作業領域として用いられる。
【００１４】
１０７はストロボ１００に搭載されている無線通信部である。ここで、無線通信部１０７の形態として２つが想定される。１つはストロボ１００に内蔵するタイプであり、もう１つは無線通信部１０７を別のデバイスとするタイプである。別のデバイスにする場合は、例えば無線通信部１０７をカード化して、ストロボ１００にはカードスロットを設けた着脱可能タイプとすることができる。本実施形態では内蔵タイプを用いる場合について説明する。
１０７aはアンテナである。アンテナ１０７aは無線通信の送受信を行い、通信相手から受信したデータを無線制御部１０７ｂへ送信する。また、アンテナ１０７ａは無線制御部１０７ｂからデータを受け取り、通信相手へ送信する。
１０７ｃは発振回路である。発振回路１０７ｃは、発振回路１０７ｃに接続された水晶発振子１０７ｄで生成されるクロック信号の波形を整形し、整形したクロック信号を無線通信部１０７の各回路に出力し、同期をとる。
【００１５】
図２は、ストロボ１００を用いたシステムの一例を示す概略図である。
図２（ａ）は、ストロボ１００が他のストロボと無線接続していない場合のシステムの一例を示す概略図である。ここでは、カメラ２００とストロボ１００とは物理的に接続されている。ストロボ１００はインターフェース１０６を介してカメラ２００と通信する。図２（ａ）に示す形態では、例えばカメラ２００のレリーズ操作を検知したストロボ１００が発光回路１０４を介して発光するといった動作が可能である。
【００１６】
図２（ｂ）は、ストロボ１００がストロボ３００と無線接続している場合のシステムの一例を示す概略図である。ここでは、各ストロボにマスターまたはスレーブの役割が割り当てられる。マスターは、スレーブに対して発光命令を送信する側の機器である。スレーブは、マスターに制御される側の機器であり、発光命令を受信し、発光処理を行う。マスターおよびスレーブはユーザの操作により設定可能である。図２（ｂ）に示すシステムでは、ストロボ１００がマスター、ストロボ３００がスレーブに設定されているものとする。図２（ｂ）に示す形態では、例えばカメラ２００のレリーズ操作を検知したストロボ１００がストロボ３００に発光命令を送信し、ストロボ３００（およびストロボ１００）を発光させるといった動作が可能である。
【００１７】
図３は、ストロボ３００の構成の一例を示すブロック図である。ここでは、ストロボ３００の構成は、図１に示すストロボ１００の構成と同一であり、その説明を省略する。
【００１８】
図４は、ストロボの消費電力に関する状態遷移図である。本実施形態では、ストロボ１００は３つの状態に遷移可能である。１つ目は常時受信可能状態４００（通信可能状態）である。２つ目はストロボ１００がカメラ２００とインターフェース１０６を介して通信するための最低限の機能のみを維持した、第１の低消費電力状態４０１である。第１の低消費電力状態４０１は、図２（ａ）に示すシステム構成において用いられるものであり、発振回路１０７ｃで生成されるクロック信号の周波数を常時低くして、無線通信部１０７の消費電力を低減させる。３つ目は他のストロボと同期をとるための最低限の機能のみを維持した、第２の低消費電力状態４０２である。第２の低消費電力状態４０２は、図２（ｂ）に示すシステム構成において用いられるものであり、同期信号であるビーコンを用いて無線通信部１０７と他のストロボとが周期的に同期をとる。同期していない期間は、発振回路１０７ｃで生成されるクロック信号の周波数を低くして、無線通信部１０７の消費電力を低減させる。一定時間あたりの消費電力は、大きい順に、常時受信可能状態４００、第２の低消費電力状態４０２、第１の低消費電力状態４０１となる。なお、本実施形態におけるストロボ１００の初期状態は常時受信可能状態４００とする。
【００１９】
次に、図２（ａ）に示すシステム構成において、ストロボ１００の状態が遷移する場合について説明する。ストロボ制御部１０５はインターフェース１０６を介して、カメラ２００から発光禁止の通知を受信した場合またはカメラ２００、操作部１０１の何れかにより一定時間以上制御されない場合（遷移４０３）、第１の低消費電力状態４０１へ遷移する。また、ストロボ制御部１０５はインターフェース１０６を介して、カメラ２００から発光禁止解除の通知を受信、カメラ２００から任意の信号を受信または操作部１０１から任意の動作指示を受信した場合（遷移４０４）、常時受信可能状態４００へ遷移する。
ここで、発光禁止とは発光回路１０４による発光を禁止することを表す。また、発光禁止解除とは発光回路１０４の発光禁止を解除することを表す。また、通知は例えば、カメラ２００のユーザインターフェースによって実行される。
【００２０】
次に、図２（ｂ）に示すシステム構成、つまりスレーブが存在するときに、マスターであるストロボ１００の状態が遷移する場合について説明する。ストロボ制御部１０５はインターフェース１０６を介して、カメラ２００から発光禁止の通知（所定の通知）を受信またはカメラ２００、操作部１０１の何れかにより一定時間以上制御されない場合（遷移４０５）、第２の低消費電力状態４０２へ遷移する。また、ストロボ制御部１０５はインターフェース１０６を介して、カメラ２００から発光禁止解除の通知を受信、カメラ２００から任意の信号を受信または操作部１０１から任意の動作指示を受信した場合（遷移４０６）、常時受信可能状態４００へ遷移する。
【００２１】
図５は、図２（ａ）に示すシステム構成において、図４に示す遷移４０３によって常時受信可能状態４００から第１の低消費電力状態４０１に遷移するときの動作を示すシーケンス図である。なお、図５および後述する図６に示すシーケンス図において、ストロボ制御部１０５および無線制御部１０７ｂの処理は、ストロボ制御部１０５がフラッシュメモリ１０８に格納されたプログラムをＲＡＭ１０９に展開して実行することにより実現される。
ステップＳ５００では、ストロボ制御部１０５はインターフェース１０６を介して、カメラ２００から発光回路１０４による発光禁止の通知を受信する。
ステップＳ５０１では、ストロボ制御部１０５は無線制御部１０７ｂに対して他のストロボとの接続状態の確認を要求する。具体的には、ストロボ制御部１０５は、他のストロボとの無線接続数の確認を要求する。
【００２２】
ステップＳ５０２では、無線制御部１０７ｂは要求に応じてストロボ制御部１０５に対して、他のストロボとの接続状態を通知する。ここでは、無線制御部１０７ｂは他のストロボと無線接続していないことを通知する。
ステップＳ５０３では、ストロボ制御部１０５は受信した通知に基づいて、他のストロボと無線接続しているか否かを判定する。ここでは、他のストロボと無線接続していないので、ストロボ制御部１０５は無線制御部１０７ｂに対して第１の低消費電力状態４０１への遷移を要求する。
【００２３】
ステップＳ５０４では、無線制御部１０７ｂは要求に応じて発振回路１０７ｃに対して発振回路１０７ｃから出力されるクロック信号の周波数を低くする。この処理は、周波数制御手段による処理の一例に対応する。
ステップＳ５０５では、無線制御部１０７ｂはストロボ制御部１０５に対して第１の低消費電力状態４０１への遷移が完了したことを通知する。
ステップＳ５０６では、ストロボ制御部１０５は無線制御部１０７ｂから通知を受信することで、インターフェース１０６を介してカメラ２００に第１の低消費電力状態４０１への遷移が完了したことを通知する。
このようなストロボ１００による制御方法によって、ストロボ１００の無線通信部１０７はストロボ制御部１０５と通信するための最低限の機能のみを維持して、消費電力を常時受信可能状態４００よりも低減させることができる。
【００２４】
図６は、図２（ａ）に示すシステム構成において、図４に示す遷移４０４によって第１の低消費電力状態４０１から常時受信可能状態４００に遷移するときの動作を示すシーケンス図である。
ステップＳ６００では、ストロボ制御部１０５はインターフェース１０６を介して、カメラ２００から発光回路１０４の発光禁止を解除する通知を受信する。
ステップＳ６０１では、ストロボ制御部１０５は無線制御部１０７ｂに対して、常時受信可能状態４００への遷移を要求する。
【００２５】
ステップＳ６０２では、無線制御部１０７ｂは要求に応じて発振回路１０７ｃに対して発振回路１０７ｃから出力されるクロック信号の周波数を高くする。
ステップＳ６０３では、無線制御部１０７ｂはストロボ制御部１０５に対して常時受信可能状態４００への遷移が完了したことを通知する。
ステップＳ６０４では、ストロボ制御部１０５は無線制御部１０７ｂから通知を受信することで、インターフェース１０６を介してカメラ２００に常時受信可能状態４００への遷移が完了したことを通知する。
このようなストロボ１００による制御方法によって、ストロボ１００は第１の低消費電力状態４０１から常時受信可能状態４００への遷移を実現させることができる。
【００２６】
図７は、図２（ｂ）に示すシステム構成において、図４に示す遷移４０５によって常時受信可能状態４００から第２の低消費電力状態４０２に遷移するときの動作を示すシーケンス図である。なお、図７および後述する図８に示すシーケンス図において、ストロボ制御部１０５および無線制御部１０７ｂの処理は、ストロボ制御部１０５がフラッシュメモリ１０８に格納されたプログラムをＲＡＭ１０９に展開して実行することにより実現される。また、ストロボ制御部３０５および無線制御部３０７ｂの処理は、ストロボ制御部３０５がフラッシュメモリ３０８に格納されたプログラムをＲＡＭ３０９に展開して実行することにより実現される。
【００２７】
ステップＳ７００では、ストロボ制御部１０５はインターフェース１０６を介して、カメラ２００から発光回路１０４による発光禁止の通知を受信する。
ステップＳ７０１では、ストロボ制御部１０５は無線制御部１０７ｂに対して他のストロボとの接続状態の確認を要求する。この処理は、上述したステップＳ５０１と同様である。
【００２８】
ステップＳ７０２では、無線制御部１０７ｂは要求に応じてストロボ制御部１０５に対して、他のストロボとの接続状態を通知する。ここでは、無線制御部１０７ｂは無線通信部３０７ｂと無線接続していることを通知する。
ステップＳ７０３では、ストロボ制御部１０５は受信した通知に基づいて、無線通信部１０７ｂが他のストロボと無線接続しているか否かを判定する。ここでは、無線通信部３０７ｂと無線接続していることが通知されているので、ストロボ制御部１０５は無線制御部１０７ｂに対して第２の低消費電力状態４０２への遷移を要求する。
【００２９】
ステップＳ７０４では、無線制御部１０７ｂは要求に応じてアンテナ１０７ａを介してビーコンをブロードキャストする。ここで送信されるビーコンには、第２の低消費電力状態４０２へ遷移する命令が格納されている。ステップＳ７０４以降、無線制御部１０７ｂは一定の周期でビーコンをブロードキャストする。
【００３０】
ステップＳ７０５では、無線制御部１０７ｂはストロボ制御部１０５に対して第２の低消費電力状態４０２への遷移が完了したことを通知する。
一方、ステップＳ７０６では、無線制御部３０７ｂはアンテナ３０７ａを介してビーコンを受信した後、ストロボ制御部３０５に対して第２の低消費電力状態４０２への遷移が完了したことを通知する。
【００３１】
ステップＳ７０７では、ストロボ制御部１０５は無線制御部１０７ｂから通知を受信することで、インターフェース１０６を介してカメラ２００に第２の低消費電力状態４０２への遷移が完了したことを通知する。
このようなストロボ１００による制御方法によって、ストロボ１００の無線通信部１０７ｂは無線通信部３０７ｂとの同期以外では消費電力を低減させ、消費電力を常時受信可能状態４００よりも低減させることができる。
【００３２】
図８は、図２（ｂ）に示すシステム構成において、図４に示す遷移４０６によって第２の低消費電力状態４０２から常時受信可能状態４００に遷移するときの動作を示すシーケンス図である。
ステップＳ８００では、ストロボ制御部１０５はインターフェース１０６を介して、カメラ２００から発光回路１０４の発光禁止を解除する通知を受信する。
ステップＳ８０１では、ストロボ制御部１０５は無線制御部１０７ｂに対して、常時受信可能状態４００への遷移を要求する。
【００３３】
ステップＳ８０２では、無線制御部１０７ｂは要求に応じ、要求を受信した後に最初に送信するビーコンに常時受信可能状態４００へ遷移する命令を格納し、当該ビーコンをブロードキャストする。
ステップＳ８０３では、無線制御部１０７ｂはストロボ制御部１０５に対して常時受信可能状態４００への遷移が完了したことを通知する。
ステップＳ８０４では、アンテナ３０７ａを介してビーコンを受信した無線制御部３０７ｂは、ストロボ制御部３０５に対して常時受信可能状態４００への遷移が完了したことを通知する。
【００３４】
ステップＳ８０５では、ストロボ制御部１０５は無線制御部１０７ｂから通知を受信することで、インターフェース１０６を介してカメラ２００に常時受信可能状態４００への遷移が完了したことを通知する。
このようなストロボ１００による制御方法によって、ストロボ１００は無線通信部１０７を第２の低消費電力状態４０２から常時受信可能状態４００への遷移を実現させることができる。
【００３５】
本実施形態によれば、ストロボ１００は、常時受信可能状態４００において、インターフェース１０６を介してカメラ２００により発光回路１０４の発光禁止を通知された場合、他のストロボとの無線接続の有無に応じた消費電力の低減が可能となる。すなわち、双方向通信が可能なストロボ１００と他のストロボとの無線接続の有無によって、消費電力低減の制御方法を変更し、状況に応じた消費電力の低減を実現させることができる。
例えば、他のストロボと無線接続していない場合、カメラ２００と通信するための最低限の機能のみを維持した第１の低消費電力状態４０１に遷移する。また、他のストロボと無線接続している場合、他のストロボとの同期をとる最低限の機能のみを維持した第２の低消費電力状態４０２へ遷移する。
なお、本実施形態ではカメラ２００による発光禁止の通知によって消費電力を低減する場合について説明したが、カメラ２００、操作部１０１から一定時間以上制御されない場合でも実現可能である。この場合、カメラ２００、操作部１０１から任意の操作を行うことで常時受信可能状態４００へ遷移する。
【００３６】
（第２の実施形態）
次に、第２の実施形態について説明する。本実施形態のストロボ１００、ストロボ３００の構成はそれぞれ図１、図３と同様であり、システム構成は図２と同様である。
図９は、ストロボの消費電力に関する状態遷移図である。本実施形態では、第１の実施形態と同様、ストロボ１００は３つの状態に遷移可能である。１つ目はビーコン同期９００（通信可能状態）であり、カメラ２００とストロボ１００、３００の同調を考慮した周期で同期する。２つ目はストロボ１００と通信するための最低限の機能のみを維持した、第１の低消費電力状態９０１である。３つ目は他のストロボと同期をとるための最低限の機能のみを維持した、かつ、ビーコン同期９００の周期よりも長い周期で同期をとる第２の低消費電力状態９０２である。なお、ストロボ１００の初期状態はビーコン同期９００である。
【００３７】
次に、図２（ａ）に示すシステム構成において、ストロボ１００の状態が遷移する場合について説明する。ストロボ制御部１０５はインターフェース１０６を介して、カメラ２００から発光禁止の通知を受信した場合、カメラ２００、操作部１０１の何れかにより一定時間以上制御されない場合（遷移９０３）、第１の低消費電力状態９０１へ遷移する。また、ストロボ制御部１０５はインターフェース１０６を介して、カメラ２００から発光禁止解除の通知を受信、カメラ２００から任意の信号を受信または操作部１０１から任意の動作指示を受信した場合（遷移９０４）、ビーコン同期９００へ遷移する。
ここで、発光禁止とは第１の実施形態と同様である。
【００３８】
次に、図２（ｂ）に示すシステム構成において、ストロボ１００の状態が遷移する場合について説明する。ストロボ制御部１０５はインターフェース１０６を介して、カメラ２００から発光禁止の通知を受信またはカメラ２００、操作部１０１の何れかにより一定時間以上制御されない場合（遷移９０５）、第２の低消費電力状態９０２へ遷移する。また、ストロボ制御部１０５はインターフェース１０６を介して、カメラ２００から発光禁止解除の通知を受信、カメラ２００から任意の信号を受信または操作部１０１から任意の動作指示を受信した場合（遷移９０６）、ビーコン同期９００へ遷移する。
【００３９】
ここで、上述した遷移９０３、遷移９０４は無線接続しているストロボが他に存在しないため、第１の実施形態における遷移４０３、遷移４０４と同様であり、ここではその説明を省略する。
【００４０】
図１０は、図２（ｂ）に示すシステム構成において、図９に示す遷移９０５によってビーコン同期９００から第２の低消費電力状態９０２に遷移するときの動作を示すシーケンス図である。なお、図１０および後述する図１１に示すシーケンス図において、ストロボ制御部１０５および無線制御部１０７ｂの処理は、ストロボ制御部１０５がフラッシュメモリ１０８に格納されたプログラムをＲＡＭ１０９に展開して実行することにより実現される。また、ストロボ制御部３０５および無線制御部３０７ｂの処理は、ストロボ制御部３０５がフラッシュメモリ３０８に格納されたプログラムをＲＡＭ３０９に展開して実行することにより実現される。
【００４１】
ステップＳ１０００では、ストロボ制御部１０５はインターフェース１０６を介して、カメラ２００から発光回路１０４による発光禁止の通知を受信する。
ステップＳ１００１では、ストロボ制御部１０５は無線制御部１０７ｂに対して他のストロボとの接続状態の確認を要求する。具体的には、ストロボ制御部１０５は、他のストロボとの無線接続数の確認を要求する。
【００４２】
ステップＳ１００２では、無線制御部１０７ｂは要求に応じてストロボ制御部１０５に対して、他のストロボとの接続状態を通知する。ここでは、無線制御部１０７ｂは無線通信部３０７ｂと無線接続していることを通知する。
ステップＳ１００３では、ストロボ制御部１０５は受信した通知に基づいて、無線通信部１０７ｂが他のストロボと無線接続しているか否かを判定する。ここでは、無線通信部３０７ｂと無線接続していることが通知されているので、ストロボ制御部１０５は無線制御部１０７ｂに対して第２の低消費電力状態９０２への遷移を要求する。
【００４３】
ステップＳ１００４では、無線制御部１０７ｂは要求に応じてアンテナ１０７ａを介してビーコンをブロードキャストする。ここで送信されるビーコンには、第２の低消費電力状態９０２へ遷移する命令が格納されている。
ステップＳ１００５では、無線制御部１０７ｂはステップＳ１００４以降、ビーコンの周期をビーコン同期９００よりも長い周期に設定する。
【００４４】
ステップＳ１００６では、無線制御部３０７ｂはアンテナ３０７ａを介して、ステップＳ１００４で送信されたビーコンを受信し、ビーコンの周期をステップＳ１００５と同一の周期に設定する。
ステップＳ１００７では、無線制御部１０７ｂはステップＳ１００４以降に送信するビーコンの周期をステップＳ１００５およびステップＳ１００６で変更した周期に反映して、ビーコンをブロードキャストする。
【００４５】
ステップＳ１００８では、無線制御部１０７ｂはストロボ制御部１０５に対して第２の低消費電力状態９０２への遷移が完了したことを通知する。
ステップＳ１００９では、無線制御部３０７ｂはアンテナ３０７ａを介してステップＳ１００７により送信されたビーコンを受信した後、ストロボ制御部３０５に対して第２の低消費電力状態９０２への遷移が完了したことを通知する。
【００４６】
ステップＳ１０１０では、ストロボ制御部１０５は無線制御部１０７ｂから通知を受信することで、インターフェース１０６を介してカメラ２００に第２の低消費電力状態９０２への遷移が完了したことを通知する。
このようなストロボ１００による制御方法によって、ストロボ１００の無線通信部１０７ｂは無線通信部３０７ｂとのビーコン同期９００よりも長い周期で同期をとることができ、ビーコン同期９００よりもストロボ１００の消費電力を低減させることができる。
【００４７】
図１１は、図２（ｂ）に示すシステム構成において、図９に示す遷移９０６によって第２の低消費電力状態９０２からビーコン同期９００に遷移するときの動作を示すシーケンス図である。
ステップＳ１１００では、ストロボ制御部１０５はインターフェース１０６を介して、カメラ２００から発光回路１０４の発光禁止を解除する通知を受信する。
ステップＳ１１０１では、ストロボ制御部１０５は無線制御部１０７ｂに対して、ビーコン同期９００への遷移を要求する。
【００４８】
ステップＳ１１０２では、無線制御部１０７ｂは要求に応じ、要求を受信した後に最初に送信するビーコンにビーコン同期９００へ遷移する命令を格納し、当該ビーコンをブロードキャストする。
ステップＳ１１０３では、無線制御部１０７ｂはビーコンの周期をビーコン同期９００で用いる周期に設定する。
【００４９】
ステップＳ１１０４では、無線制御部３０７ｂはアンテナ３０７ａを介して、ステップＳ１１０２で送信されたビーコンを受信し、ビーコンの周期をステップＳ１１０３と同一の周期に設定する。
ステップＳ１１０５では、無線制御部１０７ｂはステップＳ１１０２以降に送信するビーコンの周期をステップＳ１１０３およびステップＳ１１０４で変更した周期に反映して、ビーコンをブロードキャストする。
【００５０】
ステップＳ１１０６では、無線制御部１０７ｂはストロボ制御部１０５に対してビーコン同期９００への遷移が完了したことを通知する。
ステップＳ１１０７では、無線制御部３０７ｂはアンテナ３０７ａを介してステップＳ１１０５により送信されたビーコンを受信した後、ストロボ制御部３０５に対してビーコン同期９００への遷移が完了したことを通知する。
【００５１】
ステップＳ１１０８では、ストロボ制御部１０５は無線制御部１０７ｂから通知を受信することで、インターフェース１０６を介して、カメラ２００にビーコン同期９００への遷移が完了したことを通知する。
このようなストロボ１００による制御方法によって、ストロボ１００は無線通信部１０７ｂを第２の低消費電力状態９０２からビーコン同期９００への遷移を実現させることができる。
【００５２】
本実施形態によれば、ストロボ１００は、ビーコン同期９００において、インターフェース１０６を介してカメラ２００により発光回路１０４の発光禁止を通知された場合、他のストロボとの無線接続の有無に応じた消費電力の低減が可能となる。すなわち、他のストロボと無線接続していない場合、カメラ２００と通信するための最低限の機能のみを維持した第１の低消費電力状態９０１に遷移する。また、他のストロボと無線接続している場合、他のストロボとの同期をとる最低限の機能のみを維持し、かつ、ビーコン同期９００における周期よりも長い第２の低消費電力状態９０２へ遷移する。
【００５３】
なお、本実施形態ではカメラ２００による発光禁止の通知によって消費電力を低減する場合について説明したが、カメラ２００、操作部１０１から一定時間以上制御されない場合でも実現可能である。この場合、カメラ２００、操作部１０１から任意の操作を行うことでビーコン同期９００へ遷移する。
【００５４】
以上、本発明の好ましい実施形態について説明したが、本発明は上述した実施形態に限定されず、その要旨の範囲内で種々の変形および変更が可能である。
例えば、ストロボ１００が接続される撮像装置としては、例えばカメラ付き携帯電話やいわゆるタブレット端末などのカメラ付きのモバイル端末などであってもよい。
また、本発明は、以下の処理を実行することによっても実現される。すなわち、上述した実施形態の機能を実現するプログラムを、ネットワークまたは記憶媒体を介してストロボ１００、３００に供給し、ストロボ１００、３００のコンピュータ（ストロボ制御部１０５、３０５など）がプログラムを読み出して実行する処理である。
【図１】
2014017616.tif 000003
【図２】
2014017616.tif 000004
【図３】
2014017616.tif 000005
【図４】
2014017616.tif 000006
【図５】
2014017616.tif 000007
【図６】
2014017616.tif 000008
【図７】
2014017616.tif 000009
【図８】
2014017616.tif 000010
【図９】
2014017616.tif 000011
【図１０】
2014017616.tif 000012
【図１１】
2014017616.tif 000013